【手続補正書】
【提出日】令和1年10月21日(2019.10.21)
【手続補正１】
【補正対象書類名】明細書
【補正対象項目名】発明の名称
【補正方法】変更
【補正の内容】
【発明の名称】有機化合物、発光素子用材料、発光素子、発光装置、電子機器及び照明装置
【手続補正２】
【補正対象書類名】特許請求の範囲
【補正対象項目名】全文
【補正方法】変更
【補正の内容】
【特許請求の範囲】
【請求項１】
下記式（Ｇ１）で表される有機化合物を含む発光素子用材料。
【化１】
2017085107.tif 000001
（但し、式（Ｇ１）中、Ａｒ１は置換または無置換の炭素数６乃至３０の芳香族炭化水素基を表し、Ａｒ２は置換または無置換の炭素数６乃至１００の芳香族炭化水素基を表す。また、Ｒ１乃至Ｒ５はそれぞれ独立に水素、炭素数１乃至６の飽和炭化水素基、炭素数３乃至６の環状飽和炭化水素基及び置換または無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項２】
下記式（Ｇ２）で表される有機化合物を含む発光素子用材料。
【化２】
2017085107.tif 000002
（但し、式（Ｇ２）中、Ａｒ１は置換または無置換の炭素数６乃至３０の芳香族炭化水素基を表し、αは、置換又は無置換の炭素数が６乃至１３である２価の芳香族炭化水素基を表し、Ａｒ３は置換もしくは無置換の単環の芳香族炭化水素骨格または２環以上１２環以下の縮合多環芳香族炭化水素骨格を含む炭素数が６乃至５０である芳香族炭化水素基を表す。また、Ｒ１乃至Ｒ５はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項３】
下記式（Ｇ３）で表される有機化合物を含む発光素子用材料。
【化３】
2017085107.tif 000003
（但し、式（Ｇ３）中、αは、置換又は無置換の炭素数が６乃至１３である２価の芳香族炭化水素基を表し、Ａｒ３は置換もしくは無置換の単環の芳香族炭化水素骨格または２環以上１２環以下の縮合多環芳香族炭化水素骨格を含む炭素数が６乃至５０である芳香族炭化水素基を表す。また、Ｒ１乃至Ｒ５及びＲ１０乃至Ｒ１４はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項４】
下記式（Ｇ４）で表される有機化合物を含む発光素子用材料。
【化４】
2017085107.tif 000004
（但し、式（Ｇ４）中、Ａｒ４乃至Ａｒ６はいずれか一が置換または無置換の単環の芳香族炭化水素骨格または２環以上１２環以下の縮合多環芳香族炭化水素骨格を含む炭素数６乃至５０である芳香族炭化水素基であり、残りの二がそれぞれ独立に水素、炭素数１乃至６の飽和炭化水素基、炭素数３乃至６の環状飽和炭化水素基及び置換又は無置換の炭素数６乃至１３の芳香族炭化水素基のいずれかである。また、Ｒ１乃至Ｒ５、Ｒ１０乃至Ｒ１５及びＲ１８はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項５】
下記式（Ｇ１）で表される有機化合物。
【化５】
2017085107.tif 000005
（但し、式（Ｇ１）中、Ａｒ１は置換または無置換の炭素数６乃至３０の芳香族炭化水素基を表し、Ａｒ２は置換または無置換の炭素数６乃至１００の芳香族炭化水素基を表す。また、Ｒ１乃至Ｒ５はそれぞれ独立に水素、炭素数１乃至６の飽和炭化水素基、炭素数３乃至６の環状飽和炭化水素基及び置換または無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。また、Ａｒ１とＡｒ２に縮合多環芳香族炭化水素骨格が含まれない場合、それらの炭素数の合計は、１９以上であるものとする。）
【請求項６】
下記式（Ｇ２）で表される有機化合物。
【化６】
2017085107.tif 000006
（但し、式（Ｇ２）中、Ａｒ１は置換または無置換の炭素数６乃至３０の芳香族炭化水素基を表し、αは、置換又は無置換の炭素数が６乃至１３である２価の芳香族炭化水素基を表し、Ａｒ３は置換もしくは無置換の単環の芳香族炭化水素骨格または２環以上１２環以下の縮合多環芳香族炭化水素骨格を含む炭素数が６乃至５０である芳香族炭化水素基を表す。また、Ｒ１乃至Ｒ５はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。また、Ａｒ１、α及びＡｒ３に縮合多環芳香族炭化水素骨格が含まれない場合、それらの炭素数の合計は、１９以上であるものとする。）
【請求項７】
下記式（Ｇ２）で表される有機化合物。
【化７】
2017085107.tif 000007
（但し、式（Ｇ２）中、Ａｒ１は置換または無置換の炭素数６乃至３０の芳香族炭化水素基を表し、αは、置換又は無置換の炭素数が６乃至１３である２価の芳香族炭化水素基を表し、Ａｒ３は置換または無置換の２環以上４環以下の縮合多環芳香族炭化水素骨格を含む炭素数が１０乃至３０である芳香族炭化水素基を表す。また、Ｒ１乃至Ｒ５はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項８】
下記式（Ｇ３）で表される有機化合物。
【化８】
2017085107.tif 000008
（但し、一般式（Ｇ３）中、αは、置換又は無置換の炭素数が６乃至１３である２価の芳香族炭化水素基を表し、Ａｒ３は置換もしくは無置換の単環の芳香族炭化水素骨格または２環以上１２環以下の縮合多環芳香族炭化水素骨格を含む炭素数が６乃至５０である芳香族炭化水素基を表す。また、Ｒ１乃至Ｒ５及びＲ１０乃至Ｒ１４はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。なお、α及びＡｒ３に縮合多環芳香族炭化水素骨格が含まれない場合、それらの炭素数の合計は、１３以上であるものとする。）
【請求項９】
下記式（Ｇ３）で表される有機化合物。
【化９】
2017085107.tif 000009
（但し、式（Ｇ３）中、αは、置換又は無置換の炭素数が６乃至１３である２価の芳香族炭化水素基を表し、Ａｒ３は置換または無置換の２環以上４環以下の縮合多環芳香族炭化水素骨格を含む炭素数が１０乃至３０である芳香族炭化水素基を表す。また、Ｒ１乃至Ｒ５及びＲ１０乃至Ｒ１４はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項１０】
下記式（Ｇ４）で表される有機化合物。
【化１０】
2017085107.tif 000010
（但し、式（Ｇ４）中、Ａｒ４乃至Ａｒ６はいずれか一が置換もしくは無置換の単環の芳香族炭化水素骨格または２環以上１２環以下の縮合多環芳香族炭化水素骨格を含む炭素数１０乃至５０である芳香族炭化水素基であり、残りの二がそれぞれ独立に水素、炭素数１乃至６の飽和炭化水素基、炭素数３乃至６の環状飽和炭化水素基及び置換又は無置換の炭素数６乃至１３の芳香族炭化水素基のいずれかである。また、Ｒ１乃至Ｒ５、Ｒ１０乃至Ｒ１５及びＲ１８はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項１１】
下記式（Ｇ４）で表される有機化合物。
【化１１】
2017085107.tif 000011
（但し、式（Ｇ４）中、Ａｒ４乃至Ａｒ６はいずれか一が置換または無置換の２環以上４環以下の縮合多環芳香族炭化水素骨格を含む炭素数が１０乃至３０である芳香族炭化水素基であり、残りの二がそれぞれ独立に水素、炭素数１乃至６の飽和炭化水素基、炭素数３乃至６の環状飽和炭化水素基及び置換又は無置換の炭素数６乃至１３の芳香族炭化水素基のいずれかである。また、Ｒ１乃至Ｒ５、Ｒ１０乃至Ｒ１５及びＲ１８はそれぞれ独立に水素、炭素数１乃至６の飽和炭化水素基、炭素数３乃至６の環状飽和炭化水素基及び置換又は無置換の炭素数６乃至１３の芳香族炭化水素基のいずれかを表し、Ｒ６乃至Ｒ９はそれぞれ独立に水素、炭素数１乃至６の飽和炭化水素基及び炭素数３乃至６の環状飽和炭化水素基のいずれかを表す。）
【請求項１２】
請求項５乃至請求項１１のいずれか一項に記載の有機化合物を含む発光素子用材料。
【請求項１３】
請求項１乃至請求項４及び請求項１２のいずれか一項に記載の発光素子用材料を含む発光素子。
【請求項１４】
請求項１乃至請求項４及び請求項１２のいずれか一項に記載の発光素子用材料と、
アントラセン骨格を有する有機化合物と、を含む発光素子。
【請求項１５】
請求項１乃至請求項４及び請求項１２のいずれか一項に記載の発光素子用材料と、
アントラセン骨格及びカルバゾール骨格を有する有機化合物と、を含む発光素子。
【請求項１６】
陽極と、
陰極と、
前記陽極と前記陰極との間に設けられた有機化合物を含む層とを有し、
前記有機化合物を含む層は、
アントラセン骨格を含む有機化合物を含む第１の層と、
請求項１乃至請求項４及び請求項１２のいずれか一項に記載の発光素子用材料を含む第２の層と、を有し、
前記第１の層と前記陽極との間に前記第２の層が位置する発光素子。
【請求項１７】
陽極と、
陰極と、
前記陽極と前記陰極との間に設けられた有機化合物を含む層とを有し、
前記有機化合物を含む層は、
アントラセン骨格とカルバゾール骨格を含む有機化合物を含む第１の層と、
請求項１乃至請求項４及び請求項１２のいずれか一項に記載の発光素子用材料を含む第２の層と、を有し、
前記第１の層と前記陽極との間に前記第２の層が位置する発光素子。
【請求項１８】
請求項１６または請求項１７において、前記第１の層にさらに発光物質が含まれている発光素子。
【請求項１９】
請求項１３乃至請求項１８のいずれか一項に記載の発光素子と、
トランジスタ、または、基板と、
を有する発光装置。
【請求項２０】
請求項１９に記載の発光装置と、
センサ、操作ボタン、スピーカ、または、マイクと、
を有する電子機器。
【請求項２１】
請求項１９に記載の発光装置と、
筐体と、
を有する照明装置。